(57)【要約】【課題】家庭電気製品を収納した状態で使用できるようにした家庭電気製品収納庫において、家庭電気製品収納部内に収納した家庭電気製品に異常が発生した場合に給電を停止して家庭電気製品の動作を停止し、被害の拡大を防止する。【解決手段】キャビネット１内に家庭電気製品２を収納する前面が開口した家庭電気製品収納部３を設け、家庭電気製品収納部３に家庭電気製品２へ給電する給電手段１５を設け、家庭電気製品収納部３の異常過熱を検知する異常検知手段１６の出力により制御手段１７を動作させる。制御手段１７は、家庭電気製品収納部３の温度が異常に上昇した場合、異常検知手段１６の出力により給電手段１５への給電を停止するよう構成し、異常検知手段１６は家庭電気製品収納部３の上面手前側に設ける。【選択図】図１
2008023073.tif 000002
【特許請求の範囲】
【請求項１】
キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部の異常過熱を検知する異常検知手段と、この異常検知手段の出力により動作する制御手段とを備え、前記制御手段は、前記家庭電気製品収納部の温度が異常に上昇した場合、前記異常検知手段の出力により前記給電手段への給電を停止するよう構成し、前記異常検知手段は前記家庭電気製品収納部の上面手前側に設けた家庭電気製品収納庫。
【請求項２】
異常検知手段は、赤外線検知式温度計とし、検知視野角は家庭電気製品収納部の水平投影面以上で、水平に対して一定角度で取り付けた請求項１記載の家庭電気製品収納庫。
【請求項３】
キャビネットと、このキャビネット内に設け家庭電気製品を収納する前面が開閉自在な扉で覆われた家庭電気製品収納部と、この家庭電気製品収納部に設け家庭電気製品へ給電する給電手段と、前記家庭電気製品収納部の上面手前側に設け家庭電気製品収納部の異常過熱を検知する異常検知手段と、この異常検知手段の出力により動作する制御手段とを備え、前記制御手段は、前記家庭電気製品収納部の温度が異常に上昇した場合、前記異常検知手段の出力により前記給電手段への給電を停止するよう構成し、前記異常検知手段の前方は、外気が吸い込めるよう隙間を設けた家庭電気製品収納庫。
【請求項４】
異常検知手段は、赤外線検知式温度計とし、検知視野角は家庭電気製品収納部の水平投影面以上で、水平に対して一定角度で取り付けた請求項３記載の家庭電気製品収納庫。
【請求項５】
異常検知手段は、取付面より下方に突出するよう構成した請求項１〜４のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、前面が開口し家庭電気製品を収納する家庭電気製品収納部を設け、この家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成していた（例えば、特許文献１参照）。
【特許文献１】特公平７−１１４７３５号公報
【発明の開示】
【発明が解決しようとする課題】
【０００３】
しかしながら従来の構成では、キャビネット内に家庭電気製品を収納して使用しているとき、家庭電気製品に異常過熱、蒸気漏れなどの異常があった場合に、そのまま使用をつづけると家庭電気製品収納庫が故障するばかりでなく、異常過熱の場合は、被害が拡大する可能性があるという問題があった。
【０００４】
また、近年、家庭電気製品を収納する家庭電気製品収納部の前面を開閉自在な扉で覆うものもあり、問題が大きくなる傾向にある。
【０００５】
本発明は上記従来の課題を解決するもので、家庭電気製品収納部内に収納した家庭電気製品に異常が発生した場合に給電を停止して家庭電気製品の動作を停止することで、被害の拡大を防止することを目的としている。
【課題を解決するための手段】
【０００６】
本発明は上記目的を達成するために、キャビネット内に家庭電気製品を収納する前面が開口した家庭電気製品収納部を設け、家庭電気製品収納部に家庭電気製品へ給電する給電手段を設け、家庭電気製品収納部の異常過熱を検知する異常検知手段の出力により制御手段を動作させるよう構成し、制御手段は、家庭電気製品収納部の温度が異常に上昇した場合、異常検知手段の出力により給電手段への給電を停止するよう構成し、異常検知手段は家庭電気製品収納部の上面手前側に設けたものである。
【０００７】
これにより、家庭電気製品収納部内に収納した家庭電気製品に異常が発生した場合に、異常検知手段により確実に家庭電気製品の異常を検知することができ、給電手段への給電を停止して家庭電気製品の動作を停止することができ、被害の拡大を防止することができる。
【発明の効果】
【０００８】
本発明の家庭電気製品収納庫は、家庭電気製品収納部内に収納した家庭電気製品に異常が発生した場合に、異常検知手段により確実に家庭電気製品の異常を検知することができ、給電手段への給電を停止して家庭電気製品の動作を停止することができ、被害の拡大を防止することができる。
【発明を実施するための最良の形態】
【０００９】
第１の発明は、キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部の異常過熱を検知する異常検知手段と、この異常検知手段の出力により動作する制御手段とを備え、前記制御手段は、前記家庭電気製品収納部の温度が異常に上昇した場合、前記異常検知手段の出力により前記給電手段への給電を停止するよう構成し、前記異常検知手段は前記家庭電気製品収納部の上面手前側に設けたものであり、異常検知手段を家庭電気製品収納部の上面手前側に設けることで、家庭電気製品収納部内の奥に家庭電気製品が押し込まれた状態でも異常検知手段が収納された家庭電気製品に隠れることがなく、家庭電気製品に異常が発生した場合に異常検知手段により確実に家庭電気製品の異常を検知することができ、給電手段への給電を停止して家庭電気製品の動作を停止することができ、被害の拡大を防止することができる。
【００１０】
第２の発明は、上記第１の発明において、異常検知手段は、赤外線検知式温度計とし、検知視野角は家庭電気製品収納部の水平投影面以上で、水平に対して一定角度で取り付けたものであり、検知視野角を家庭電気製品収納部の水平投影面以上とすることで、１個の赤外線検知式温度計で家庭電気製品収納部内の温度を正確に検知することができる。
【００１１】
第３の発明は、キャビネットと、このキャビネット内に設け家庭電気製品を収納する前面が開閉自在な扉で覆われた家庭電気製品収納部と、この家庭電気製品収納部に設け家庭電気製品へ給電する給電手段と、前記家庭電気製品収納部の上面手前側に設け家庭電気製品収納部の異常過熱を検知する異常検知手段と、この異常検知手段の出力により動作する制御手段とを備え、前記制御手段は、前記家庭電気製品収納部の温度が異常に上昇した場合、前記異常検知手段の出力により前記給電手段への給電を停止するよう構成し、前記異常検知手段の前方は、外気が吸い込めるよう隙間を設けたものであり、異常検知手段を家庭電気製品収納部の上面手前側に設けることで、家庭電気製品収納部内の奥に家庭電気製品が押し込まれた状態でも異常検知手段が収納された家庭電気製品に隠れることがなく、家庭電気製品に異常が発生した場合に異常検知手段により確実に家庭電気製品の異常を検知することができ、給電手段への給電を停止して家庭電気製品の動作を停止することができ、被害の拡大を防止することができ、異常検知手段の前方に外気が吸い込めるよう隙間を設けているので、家庭電気製品収納部内に蒸気が充満した場合にも、隙間から吸い込んだ外気により異常検知手段が蒸気に触れるのを防止することができ、蒸気の影響をなくすることができる。
【００１２】
第４の発明は、上記第３の発明において、異常検知手段は、赤外線検知式温度計とし、検知視野角は家庭電気製品収納部の水平投影面以上で、水平に対して一定角度で取り付けたものであり、検知視野角を家庭電気製品収納部の水平投影面以上とすることで、１個の赤外線検知式温度計で家庭電気製品収納部内の温度を正確に検知することができる。
【００１３】
第５の発明は、上記第１〜４のいずれか１つの発明において、異常検知手段は、取付面より下方に突出するよう構成したものであり、家庭電気製品収納部内に蒸気が漏れた場合、蒸気は家庭電気製品収納部の天井面に滞留するが、異常検知手段を天井面（取付面）より下方に突出するよう構成することで、異常検知手段に対する蒸気の影響を防止することができ、正確な検知をすることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における家庭電気製品収納庫の断面図を示し、図２は、同家庭電気製品収納庫の正面図を示すものである。
【００１６】
図１および図２に示すように、キャビネット１は、前面が開口し、内部に炊飯器２ａやジャーポット２ｂなど蒸気を発生する家庭電気製品２を収納する家庭電気製品収納部３を有している。家庭電気製品収納部３の下面に家庭電気製品２を載置するスライド台４を収納自在に設けており、必要に応じて家庭電気製品収納部３から家庭電気製品２を引き出して使用できるようにしている。家庭電気製品収納部２の前面に扉５を開閉自在に設けている。また、家庭電気製品収納部３の天面には、収納した家庭電気製品２から排出する蒸気を外部に排出する蒸気処理ユニット６を設けており、家庭電気製品収納部３に蒸気を発生する家庭電気製品２を収納した場合においても、家庭電気製品２を収納したまま使用できるようにしている。
【００１７】
蒸気処理ユニット６の下面に１つの大きな開口部をもつ蒸気吸引部７を設けており、蒸気処理ユニット５の内部に吸引ファン８を設けている。蒸気吸引部７の内側に蒸気を広い範囲で効率よく吸引するために、複数の穴（図示せず）を有する整流板９を設けており、家庭電気製品収納部３内で発生した蒸気を外気と混合し、整流板９の穴および整流板９の外周より蒸気を吸引する構成としている。吸引ファン８より吐出された蒸気は、内部ダクト１０を通って蒸気処理ユニット６の前方に設けた蒸気排気口１１から吐出される。また、蒸気処理ユニット６の前面に表示部１２を設けている。
【００１８】
扉開閉検知手段１３は、扉５に固着したマグネット１４により動作して扉５の開閉状態を検知するものである。給電手段１５は、コンセント１５ａ、１５ｂにより構成し、家庭電気製品２を接続して給電するもので、家庭電気製品収納部３に設けている。異常検知手段１６は、家庭電気製品収納部３の異常過熱を検知するものであり、制御手段１７は、異常検知手段１６の出力により動作するよう構成している。そして、制御手段１７は、家庭電気製品収納部３の温度が異常に上昇した場合、異常検知手段１６の出力により給電手段１５への給電を停止するよう構成している。すなわち、図３に示すように、制御手段１７はコイル１８ａと接点１８ｂとを有するリレーを駆動するように構成し、接点１８ｂを交流１００Ｖ電源と給電手段１５との間に接続し、家庭電気製品収納部３に異常過熱が発生した場合、異常検知手段１６がこれを検知し、その出力により制御手段１７を動作させ、リレーを駆動して給電手段１５への給電を停止するよう構成している。なお、１９は、家庭電気製品４を給電手段６に接続するプラグである。
【００１９】
ここで、異常検知手段１６は、赤外線検知式温度計により構成し、検知視野角（前後方向はα、左右方向はγ）は家庭電気製品収納部３の水平投影面以上で、水平に対して一定角度βで取り付けている。また、異常検知手段１６は、取付面を構成する家庭電気製品収納部３の天井面より下方に突出するよう構成している。
【００２０】
上記構成において動作、作用について説明する。家庭電気製品収納部３の下面に設けたスライド台４に家庭電気製品２を載置して家庭電気製品２を家庭電気製品収納部３内に収納し、家庭電気製品収納部３内のコンセント１５ａ、１５ｂに接続した後、扉５を閉じて動作を開始し、蒸気処理ユニット６内の吸引ファン８を動作させると、吸引ファン８から外気とともに蒸気吸引部７より吸い込まれた蒸気は、内部ダクト１０を経由して蒸気排気口１１から外部に排出される。
【００２１】
このとき、蒸気吸引部７の内側に設置した整流板９には、家庭電気製品収納部３内に収納した家庭電気製品２の蒸気口２０に対向した位置に複数の穴を有しているので、蒸気口２０より排出される蒸気は、図１の矢印ａで示すように、複数の穴を通して蒸気処理ユニット６に吸引されるとともに、図１の矢印ｂで示すように、一部は整流板９の外周より蒸気処理ユニット５に吸引される。
【００２２】
ここで、家庭電気製品２に何等かの原因で異常過熱が発生し、家庭電気製品収納部３の温度が異常に上昇した場合、異常検知手段１６がこれを検知する。この異常検知手段１６の出力により制御手段１７を動作させ、給電手段１５への給電を停止し、家庭電気製品２の動作を停止する。これにより、異常過熱など異常状態が発生した場合の被害の拡大を防止することができる。
【００２３】
このとき、異常検知手段１６を家庭電気製品収納部３の上面手前側に設けているので、家庭電気製品収納部３内の奥に家庭電気製品２が押し込まれた状態でも異常検知手段１６が収納された家庭電気製品２に隠れることがなく、家庭電気製品２に異常が発生した場合に異常検知手段１６により確実に家庭電気製品２の異常を検知することができる。特に、引き出し式に収納自在なスライド台４の奥には不要なものが押し込まれることが多いが、家庭電気製品２は操作するために手前に置いて使用するものであり、手前側に障害物が置かれることはない。
【００２４】
また、異常検知手段１６は、赤外線検知式温度計で構成し、検知視野角は家庭電気製品収納部３の水平投影面以上で、水平に対して一定角度で取り付けているので、１個の赤外線検知式温度計で家庭電気製品収納部３内の温度を正確に検知することができる。
【００２５】
また、収納した家庭電気製品２より家庭電気製品収納部３内に蒸気が出てきた場合、蒸気は家庭電気製品収納部３の天井面に滞留するが、異常検知手段１６を天井面（取付面）より下方に突出するよう構成することで、異常検知手段１６に対する蒸気の影響を防止することができ、正確な検知をすることができる。
【００２６】
以上のように、本実施の形態においては、制御手段１７は、家庭電気製品収納部３の温度が異常に上昇した場合、異常検知手段１６の出力により給電手段１５への給電を停止するよう構成し、異常検知手段１６は家庭電気製品収納部３の上面手前側に設けたので、家庭電気製品収納部３内の奥に家庭電気製品２が押し込まれた状態でも異常検知手段１６が収納された家庭電気製品２に隠れることがなく、家庭電気製品２に異常が発生した場合に異常検知手段１６により確実に家庭電気製品２の異常を検知することができ、給電手段１５への給電を停止して家庭電気製品２の動作を停止することができ、被害の拡大を防止することができる。
【００２７】
また、異常検知手段１６は、赤外線検知式温度計とし、検知視野角は家庭電気製品収納部３の水平投影面以上で、水平に対して一定角度で取り付けたので、１個の赤外線検知式温度計で家庭電気製品収納部３内の温度を正確に検知することができる。
【００２８】
また、異常検知手段１６は、取付面より下方に突出するよう構成したので、家庭電気製品収納部３内に蒸気が漏れた場合、蒸気は家庭電気製品収納部３の天井面に滞留するが、異常検知手段１６を天井面（取付面）より下方に突出するよう構成することで、異常検知手段１６に対する蒸気の影響を防止することができ、正確な検知をすることができる。
【００２９】
なお、本実施の形態では、家庭電気製品収納部２の前面に扉５を開閉自在に設けているが、扉５はなくてもよいことはいうまでもない。
【００３０】
（実施の形態２）
図４に示すように、異常検知手段１６の前方は、外気が吸い込めるよう隙間２１を設けている。他の構成は上記実施の形態と同じであり、同一符号を付して説明を省略する。
【００３１】
上記構成において動作、作用について説明する。なお、家庭電気製品収納部３内に家庭電気製品２を収納して動作させるときの基本的な動作は上記実施の形態１の動作と同じであるので説明を省略する。
【００３２】
扉５を閉じて動作を開始し、蒸気処理ユニット６内の吸引ファン８を動作させると、吸引ファン８の動作により異常検知手段１６の前方に設けた隙間２１より外気が吸い込む。一方、収納した家庭電気製品２より出た蒸気が家庭電気製品収納部３内に充満した場合、隙間２１から吸い込んだ外気とともに蒸気処理ユニット６内に吸い込まれた蒸気は、内部ダクト１０を経由して蒸気排気口１１から外部に排出される。これにより、異常検知手段１６が蒸気に触れるのを防止することができ、蒸気の影響をなくすることができる。
【００３３】
以上のように、本発明の形態においては、制御手段１７は、家庭電気製品収納部３の温度が異常に上昇した場合、異常検知手段１６の出力により給電手段１５への給電を停止するよう構成し、異常検知手段１６の前方は、外気が吸い込めるよう隙間２１を設けたので、家庭電気製品２に異常が発生した場合に異常検知手段１６により確実に家庭電気製品２の異常を検知することができ、給電手段１５への給電を停止して家庭電気製品２の動作を停止することができ、被害の拡大を防止することができ、また、異常検知手段１６の前方に外気が吸い込めるよう隙間２１を設けているので、家庭電気製品収納部３内に蒸気が充満した場合にも、隙間２１から吸い込んだ外気により異常検知手段１６が蒸気に触れるのを防止することができ、蒸気の影響をなくすることができる。
【００３４】
また、上記実施の形態１と同様に、異常検知手段１６は、赤外線検知式温度計とし、検知視野角は家庭電気製品収納部３の水平投影面以上で、水平に対して一定角度で取り付けたので、１個の赤外線検知式温度計で家庭電気製品収納部内の温度を正確に検知することができる。
【産業上の利用可能性】
【００３５】
以上のように、本発明にかかる家庭電気製品収納庫は、家庭電気製品収納部内に収納した家庭電気製品に異常が発生した場合に、異常検知手段により確実に家庭電気製品の異常を検知することができ、給電手段への給電を停止して家庭電気製品の動作を停止することができ、被害の拡大を防止することができるので、家庭電気製品を収納した状態で使用できるようにした家庭電気製品収納庫として有用である。
【図面の簡単な説明】
【００３６】
【図１】本発明の実施の形態１における家庭電気製品収納庫の断面図
【図２】同家庭電気製品収納庫の正面図
【図３】同家庭電気製品収納庫の一部ブロック化した回路図
【図４】本発明の実施の形態２における家庭電気製品収納庫の断面図
【符号の説明】
【００３７】
１  キャビネット
２  家庭電気製品
３  家庭電気製品収納部
１５  給電手段
１６  異常検知手段
１７  制御手段
【図１】
2008023073.tif 000003
【図２】
2008023073.tif 000004
【図３】
2008023073.tif 000005
【図４】
2008023073.tif 000006